【事件の表示】
　特許第３２３８７２４号「遊技機」の請求項１に係る特許に対する特許異議の申立てについて、次のとおり決定する。
【結　論】
　特許第３２３８７２４号の請求項１に係る特許を維持する。
【理　由】
１．手続の経緯
　本件特許第３２３８７２４号の請求項１に係る発明は、平成１３年１０月５日にその特許の設定登録がなされ、これに対して、株式会社三共より特許異議の申立てがなされ、平成１５年５月１３日付けでその特許の取り消し決定がなされ、その後東京高等裁判所に出訴、その出訴期間中に願書に添付した明細書を訂正することについての訂正の審判（２００３年審判第３９１６２号）が請求され、その訂正を認める審決がなされ、それに伴い、前記決定が取り消されたものである。
２．異議申立についての判断
（１）本件発明
　訂正明細書の請求項１に係る発明は、その特許請求の範囲の請求項１に記載された次の事項によって特定されるとおりのものと認められる。
「【請求項１】補助枠に設けた挿排口より挿入されたカードに基づいて球貸操作部の操作により貸球を球供給皿に排出するカード式遊技装置において、カードに記録された有価データのうち、遊技球に変換可能な基準単位数のデータを度数表示出力として、基準単位数に満たない端数のデータを端数表示出力として、夫々選択的に出力制御可能な残高表示制御手段と、前記残高表示制御手段よりの度数表示出力あるいは端数表示出力に応じたデータ表示が可能な残高表示器と、を備え、前記残高表示制御手段は、残高表示器への度数表示あるいは端数表示を選択的に切り換える表示態様変更手段を有し、該表示態様変更手段は、前記残高表示器の表示内容を端数データに変更した後に前記球貸操作部が操作されると、前記残高表示器の表示内容を度数表示に変更し、かつ、前記補助枠に設けた端数表示選択操作手段が遊技者の意志に基づいて操作されることにより、前記残高表示器に端数データを表示し、端数表示がされた残高表示器の表示態様を度数表示に切り換える際に所定時間遅延させて切り換えるようにしたことを特徴とするカード式遊技装置。」
（２）２９条の２項について
１）刊行物記載の発明
　平成１４年１１月１２日付けで通知した取消しの理由で引用された、本件特許出願前に国内において頒布された刊行物である特開平２ー２７９１９１号公報（以下、引用例１という）には、
特に、
（ア）「カード２により遊技媒体を貸し出す・・・玉貸機４・・・と、借り出した遊技媒体により遊技を行なう遊技機としてのパチンコ機６」（第２頁右下欄第１８行〜第３頁左上欄第１行）及び「玉貸機４ａは上記パチンコ機６とパチンコ機６との間に設置するもので・・・表示操作部２３を有する。表示操作部２３には・・・カード挿入部２５を設け・・・カード２に記憶された有価データの残高を表示する残高表示部２６を設け・・・遊技者の指示により有価データの範囲内で球を貸し出す金額を指示するための購入スイッチ２８を設け・・・下方には球排出部２９を設けてある」（第４頁左上欄第３〜１５行）の記載から、
カードを用いるパチンコ機６においては、パチンコ機６間に設置された玉貸機４ａに設けたカード挿入部２５より挿入されたカード２に基づいて購入スイッチ２８の操作により遊技媒体を排出するようになっているものと認められること、
（イ）「上記カードに記憶した有価データの範囲内で遊技媒体を貸し出す」（第２頁右上欄第３，４行）、「この残高表示器２６で残高を表示するには、例えば、橙色での表示は１万〜９９万円、緑色で１００円〜９９００円、赤色で１円〜９９円を表す。そして・・・表示を順次変換することにより残高を示す」（第４頁右上欄第１２〜１７行）及び「玉貸機４ａの各機器を制御するための制御装置４１」（第４頁右下欄第１３，１４行）の記載から、
制御装置４１は、遊技媒体に変換可能な１００円以上を１００円以上表示出力として、遊技媒体に変換可能な１００円未満を１００円未満表示出力として、夫々順次出力制御可能であり、また、残高表示器２６は、制御装置４１よりの１００円以上表示出力あるいは１００円未満表示出力に応じたデータ表示が可能であるものと認められること、
（ウ）「残高をスクロールで全部見せる」（第１６頁第１４図左下部二重丸右）、上記（イ）の第４頁右上欄第１２〜１７行及び上記（イ）の第４頁右下欄第１３，１４行の記載から、
制御装置４１は、残高表示器２６への１００円以上表示あるいは１００円未満表示を順次（スクロール）変換する表示態様変更手段を有し、該表示態様変更手段により残高表示器２６に１００円未満を表示し、１００円未満表示がされた残高表示器２６の表示態様を１００円以上表示に変換する際に所定時間遅延させて変換するようにしているものと認められる（１つしかない表示器で、１万〜９９万円の表示、１００円〜９９００円の表示、１円〜９９円の表示を同時に行えば、遊技者が表示内容を読取れないことは自明であるから、残高表示器で１万〜９９万円の表示、１００円〜９９００円の表示、１円〜９９円の表示を順次変換する際に所定時間遅延させて変換することは自明であるものと認められる）こと、
からみて、
「玉貸機４ａに設けたカード挿入部２５より挿入されたカード２に基づいて購入スイッチ２８の操作により遊技媒体を排出するカードを用いるパチンコ機６において、
　カードに記憶された有価データのうち、遊技媒体に変換可能な１００円以上を１００円以上表示出力として、遊技媒体に変換可能な１００円未満を１００円未満表示出力として、夫々順次（スクロール）出力制御可能な制御装置４１と、
　前記制御装置４１よりの１００円以上表示出力あるいは１００円未満表示出力に応じたデータ表示が可能な残高表示器２６と、
　を備え、
　前記制御装置４１は、
　残高表示器２６への１００円以上表示あるいは１００円未満表示を順次（スクロール）変換する表示態様変更手段を有し、前記表示態様変更手段により残高表示器２６に１００円未満を表示し、１００円未満表示がされた残高表示器２６の表示態様を１００円以上表示に変換する際に所定時間遅延させて変換するようにしたカードを用いるパチンコ機６」
を構成とする発明が記載されているものと認められる。
　同じく、本件特許出願前に国内において頒布された刊行物である特開平１−１３６６８１号公報（以下、引用例２という）には、
特に、
（ア）「カード式パチンコ機・・・において、符号１はパチンコ玉を貯留する上皿であり・・・上皿１上のパチンコ玉の流れを容易に視認できる」（第２頁右上欄第１〜４行）、「度数選択スイッチはパチンコ玉の貸出し数を選択するためのスイッチである」（第２頁左下欄第１、２行）及び「玉貸しレートｋ１，即ち、１００円で貸出されるパチンコ玉の数を払い出し」（第６頁左下欄第８，９行）の記載から、
カード式パチンコ機は、カード挿入口５より挿入されたカード３６に基づいて度数選択スイッチＡ〜Ｅの操作によりパチンコ玉を上皿１に払い出すものと認められること、
（イ）「カードに磁気記憶された現度数と玉保有数」（第４頁右上欄欄第１４，１５行）、「度数選択スイッチはパチンコ玉の貸出し数を選択するためのスイッチで・・・度数を媒介変数としてパチンコ玉の貸出しを行っており、１度数が１００円に対応する単位となっている」（第２頁左下欄第１〜５行）及び「制御系要部について簡単に説明する・・・度数選択スイッチＡ〜Ｅは入出力回路３２を介してＣＰＵ３３に操作信号を入力し・・・現度数表示ディスプレイ４・・・は入出力回路３２を介したＣＰＵ３３の指令で・・・表示内容を制御される」（第３頁右上欄第３行〜左下欄第１５行）の記載から、
制御系は、カード３６に記憶された度数と玉保有数のうち、パチンコ玉に変換可能な１００円に対応する単位を度数表示出力として出力制御可能であり、また、現度数表示ディスプレイ４は、前記制御系よりの度数表示出力に応じたデータ表示が可能であるものと認められること、
からみて、
「カード挿入口５より挿入されたカード３６に基づいて度数選択スイッチＡ〜Ｅの操作によりパチンコ玉を上皿１に払い出すカード式パチンコ機において、
　カード３６に記憶された度数と玉保有数のうち、パチンコ玉に変換可能な１００円に対応する単位を度数表示出力として出力制御可能な制御系と、
　前記制御系よりの度数表示出力に応じたデータ表示が可能な現度数表示ディスプレイ４と、
　を備えたカード式パチンコ機」
を構成とする発明が記載されているものと認められる。
　同じく、本件特許出願前に国内において頒布された刊行物である特開平１−１６３６９４号公報（以下、引用例３という）には、
「主要都市の時刻のうち、特定の都市の時刻をホームシティの時刻表示出力として、ホームシティ以外の都市の時刻を他の時刻表示出力として、夫々選択的に出力制御可能な制御回路８と、
　前記制御回路８よりのホームシティの時刻表示出力あるいは他の時刻表示出力に応じた時刻表示が可能な表示部４と、
を備え、
　前記制御回路８は、
　表示部４へのホームシティの時刻表示あるいは他の時刻表示を選択的に切り換える選択スイッチ１が操作者の意志に基づいて操作されることにより、表示部４に他の時刻を表示し、他の時刻表示がされた表示部４の表示態様をホームシティの時刻表示に切り換える際に所定時間遅延させて切り換えるようにした世界時計」
を構成とする発明が記載されているものと認められる。
　同じく、本件特許出願前に国内において頒布された刊行物である特開平２−１６０５７０号公報（以下、引用例４という）には、
「設定されたモードの表示が可能な表示板１０を備え、
　表示板１０の表示を設定モードの表示に選択的に切り換える予め定められたキーが確認者の意志に基づいて操作されることにより、表示板１０に複数種類の設定モードを次々と切り換え表示し、切り換える際に所定時間遅延させて切り換えるようにしたプリンタ装置の設定モード表示方法」
を構成とする発明が記載されているものと認められる。
２）対比及び判断
　本件請求項１に係る発明（前者）と引用例１に記載された発明（後者）とを対比すると、
後者の
「カード挿入部２５」、「購入スイッチ２８」、「遊技媒体」、「カードを用いるパチンコ機６」、「記憶」、「遊技媒体」、「１００円未満を１００円未満表示出力」、「制御装置４１」、「１００円未満表示出力」、「１００円未満表示」、「変換する」及び「１００円未満」
がそれぞれの機能に照らし、それぞれ
前者の
「挿排口」、「球貸操作部」、「貸球」、「カード式遊技装置」、「記録」、「遊技球」、「端数のデータを端数表示出力」、「残高表示制御手段」、「端数表示出力」、「端数表示」、「切り換える」及び「端数データ」に相当するものと認められるから、
両者は、
「挿排口より挿入されたカードに基づいて球貸操作部の操作により貸球を排出するカード式遊技装置において、
　カードに記録された有価データのうち、遊技球に変換可能な基準となる或る値のデータを基準値表示出力として、基準となる或る値に満たない端数のデータを端数表示出力として、夫々出力制御可能な残高表示制御手段と、
　前記残高表示制御手段よりの基準値表示出力あるいは端数表示出力に応じたデータ表示が可能な残高表示器と、
　を備え、
　前記残高表示制御手段は、
　残高表示器への基準値表示あるいは端数表示を切り換える表示態様変更手段を有し、前記表示態様変更手段により残高表示器に端数データを表示し、端数表示がされた残高表示器の表示態様を基準値表示に切り換える際に所定時間遅延させて切り換えるようにしたカード式遊技装置」である、
点において一致し、
　ア．前者においては、カードの挿排口が補助枠に設けられ、貸球が球供給皿に排出されるようになっているのに対し、後者においては、カードの挿排口が遊技装置間に設置される玉貸機４ａに設けられ、貸球が球供給皿に排出されるようになっていない、
　イ．前者においては、基準となる或る値のデータが基準単位数のデータ、すなわち、度数、であり、基準となる或る値に満たない端数のデータでは、特許明細書の段落
【００５４】の「遊技媒体の貸出最小単位（例えば１００円）よりも少額しかカードに残っておらず、遊技媒体を借り受けることができない場合」という記載からみて、遊技球に変換不可能であるのに対し、後者においては、基準となる或る値のデータが１００円以上、であり、基準となる或る値に満たない端数のデータでも、遊技球に変換可能である、
　ウ．前者において、表示態様変更手段は、前記残高表示機の表示内容を端数データに変更した後に前記玉貸操作部が操作されると、前記残高表示器の表示内容を度数表示に変更し、かつ、前記補助枠に設けた端数表示選択操作手段が遊技者の意志に基づいて操作されることにより、前記残高表示器に端数データを表示するのに対し、後者においては、端数表示選択操作手段がなく、表示が順次切り換えられる（スクロールされる）、
　点において相違するものと認められる。
　相違点ウ・について検討すると、表示の技術において、操作者の意志に基づいて操作される表示選択操作手段により、各表示を選択的に切り換えることは、引用例３及び４に記載された各発明にも備わっているように、そもそも従来周知の構成であるものと認められる。
　そして、後者が、各表示が順次切り換えられ（スクロールされ）ていて、各表示を見たいときに見られるようなもの、すなわち、表示選択操作手段は備わっていないが機能的には格別相違がないといってもよいようなもの、であるから、このようなものに、引用例３及び４に記載された各発明にも備わっている「操作者の意志に基づいて操作される表示選択操作手段により各表示を選択的に切り換える」従来周知の構成を適用して、遊技者の意志に基づいて操作される端数表示選択操作手段を設けて表示を選択的に切り換えるようにすることは、当業者が格別創意工夫を要することではないというべきであり、そしてそのときに、端数表示選択操作手段を補助枠に設けることは、当業者が必要に応じて適宜採用し得る単なる設計事項にすぎないというべきである。
　しかし、前者の「表示態様変更手段は、前記残高表示機の表示内容を端数データに変更した後に前記玉貸操作部が操作されると、前記残高表示器の表示内容を度数表示に変更」する点は、上記引用例３、４及び引用例２に記載された発明も備えておらず、また各引用例には上記点を示唆する記載もない。
　そして、本件発明はこの点を備えることにより、「残高表示器の表示内容を端数データに変更した後に球貸操作部が操作されると、残高表示器の表示内容を度数表示に変更するので、残高表示器に端数表示が行われている場合に、当該プリペイドカードの使用に基づく球貸要求を行うことで、新たな操作を行うことなく、表示器に表示されるデータを度数表示に復帰させることが可能となる。」という訂正明細書記載の効果を奏する。
　したがって、本件請求項１に係る発明は、当業者が引用例１及び２に記載された各発明並びに引用例３及び４に記載された各発明にも備わっている従来周知の構成に基づいて容易に発明をすることができたものということはできない。
（３）２９条の２について
１）先願明細書記載の発明
　平成１４年１１月１２日付けで通知した取消しの理由で引用された、本件特許出願前に出願された特願平３−９９３４４号（特開平４ー３２９９８８号公報・・以下、「先願明細書」という。）には、
特に、
第１５頁第２７欄第４０〜４４行「玉貸完了信号が入力されたということは、パチンコ遊技機側で単位額（たとえば１００円）に相当するパチンコ玉が貸出されたことを意味するために、その貸出されたパチンコ玉に相当する金額である単位額を、挿入カードの現在残高から減算する」、第４頁第５欄第３１〜３５行「１万円単位の残額がある場合には端数を切り捨てて残金額表示器（カード残高表示器）５０により点滅表示され、１万円単位の残額がなくなった時点で自動的に表示器が切換わり１００円未満の端数まで点灯表示される」及び第１３頁第２４欄第３７〜４１行「端数表示スイッチ１３６により１００円未満の端数を表示するモードに設定されておれば、その設定モードがカード処理機制御用マイクロコンピュータに読込まれて・・・端数表示制御が行なわれる」の記載から、
カード処理機制御用マイクロコンピュータは、単位額（たとえば１００円）に相当するパチンコ玉を１万円単位の残額表示出力として、１００円未満を１００円未満の端数表示出力として、夫々選択的に出力制御可能であり、かつ、前記カード処理機制御用マイクロコンピュータは、カード残高表示器５０への１万円単位の残額表示あるいは１００円未満の端数表示を選択的に切り換える表示態様変更手段を有し、該表示態様変更手段によりカード残高表示器５０へ表示態様を切り換える際に所定時間遅延させて切り換えるようにしているものと認められること、
からみて、
「挿入されたカードに基づいて玉貸ボタン４４ｃの操作によりパチンコ玉を打球供給皿５９に払出すカード式遊技機において、
　カードに記録された有価価値のうち、単位額（たとえば１００円）に相当するパチンコ玉を１万円単位の残額表示出力として、１００円未満を１００円未満の端数表示出力として、夫々選択的に出力制御可能なカード処理機制御用マイクロコンピュータと、
　前記カード処理機制御用マイクロコンピュータよりの１万円単位の残額表示出力あるいは１００円未満の端数表示出力に応じたデータ表示が可能なカード残高表示器５０と、
　を備え、
　前記カード処理機制御用マイクロコンピュータは、
　カード残高表示器５０への１万円単位の残額表示あるいは１００円未満の端数表示を選択的に切り換える表示態様変更手段を有し、該表示態様変更手段によりカード残高表示器５０へ表示態様を切り換える際に所定時間遅延させて切り換えるようにしたカード式遊技機」
を構成とする発明が記載されているものと認められる。
２）対比及び判断
　本件請求項１に係る発明（前者）と刊行物１に記載された発明（後者）とを対比すると、
後者の
「玉貸ボタン４４ｃ」、「パチンコ玉」、「打球供給皿５９」、「払出す」、「遊技機」、「有価価値」、「単位額（たとえば１００円）に相当するパチンコ玉」、「１万円単位の残額」、「１００円未満」、「１００円未満の端数」、「カード処理機制御用マイクロコンピュータ」及び「カード残高表示器５０」
がそれぞれの機能に照らし、それぞれ
前者の
「球貸操作部」、「貸球」、「球供給皿」、「排出する」、「遊技装置」、「有価データ」、「遊技球に変換可能な基準単位数のデータ」、「度数」、「基準単位数に満たない端数のデータ」、「端数」、「残高表示制御手段」及び「残高表示器」
に相当するものと認められるから、
両者は、一致するものと認められる。
　したがって、両者は、
「挿入されたカードに基づいて球貸操作部の操作により貸球を球供給皿に排出するカード式遊技装置において、
　カードに記録された有価データのうち、遊技球に変換可能な基準単位数のデータを度数表示出力として、基準単位数に満たない端数のデータを端数表示出力として、夫々選択的に出力制御可能な残高表示制御手段と、
　前記残高表示制御手段よりの度数表示出力あるいは端数表示出力に応じたデータ表示が可能な残高表示器と、
　を備え、
　前記残高表示制御手段は、
　残高表示器への度数表示あるいは端数表示を選択的に切り換える表示態様変更手段を有し、該表示態様変更手段により残高表示器へ表示態様を切り換える際に所定時間遅延させて切り換えるようにしたことを特徴とするカード式遊技装置。」
　で一致するものの、
前者において、表示態様変更手段は、前記残高表示機の表示内容を端数データに変更した後に前記玉貸操作部が操作されると、前記残高表示器の表示内容を度数表示に変更し、かつ、前記補助枠に設けた端数表示選択操作手段が遊技者の意志に基づいて操作されることにより、前記残高表示器に端数データを表示するのに対し、後者においては、このような構成を備えていない、
　点において相違するものと認められる。
　そうすると、上記先願発明は、本件請求項１に係る発明と同一であるということはできないから、特許法第２９条の２の規定により特許を受けることができないとすることはできない。
（４）むすび
　以上のとおりであるから、本件請求項１に係る発明についての特許を取り消すことができず、その他の 特許異議申立人理由及び証拠によっても、本件請求項１に係る発明についての特許を取り消すことができない。
　また、他に本件請求項１に係る発明についての特許を取り消すべき理由を発見しない。
　よって、結論のとおり決定する。
【異議決定日】
平成１５年５月１３日（２００３．５．１３）